(57)【要約】【課題】カメラ外形のコンパクト化、省電力化を害することなく低輝度被写体の手持ち撮影であってもレリーズスイッチ押下による手ブレを緩和することを可能とするカメラを提供すること。【解決手段】半押し状態と全押し状態の２段階構成のレリーズスイッチ（３）と、レリーズスイッチ（３）押下時の押下量を検出するための押下量検出部（４）と、撮影時の露出時間を決定する露出時間決定部（５）とを備えたカメラ（１）において、露出時間決定部（５）で決定した撮影時の露出時間が所定の時間以上の時は、レリーズスイッチ（３）が全押し状態であると判別するための、半押し状態から全押し状態までの押下量を上記露出時間が所定時間未満の時に比べ短くする（ステップＳ２０４→ステップＳ２０５）よう制御することを特徴とする構成とした。【選択図】図２
2020056856.tif 000002
【特許請求の範囲】
【請求項１】
半押し状態と全押し状態の２段階構成のレリーズスイッチと、
レリーズスイッチ押下時の押下量を検出するための押下量検出部と、
撮影時の露出時間を決定する露出時間決定部と
を備えたカメラにおいて、
露出時間決定部で決定した撮影時の露出時間が所定の時間以上の時は、レリーズスイッチが全押し状態であると判別するための、半押し状態から全押し状態までの押下量を上記露出時間が所定時間未満の時に比べ短くするよう制御することを特徴とするカメラ。
【請求項２】
カメラのブレ量を検出するためのブレ検出部を備え、
露出時間決定部で決定した撮影時の露出時間が所定の時間上の時であっても、ユーザがレリーズスイッチを半押しした時のブレ検出部の出力が所定量未満の時は、レリーズスイッチが全押し状態であると判断するための、半押し状態から全押し状態までの押下量を上記露出時間が所定時間未満の時の押下量より変更しないことを特徴とする請求項１に記載のカメラ。
【請求項３】
上記押下量検出部は、圧力センサであることを特徴とする請求項１に記載のカメラ。
【請求項４】
上記押下量検出部（４）は、歪みセンサであることを特徴とする請求項１に記載のカメラ。
【発明の詳細な説明】
【技術分野】
【０００１】
本発明は、カメラに関し、特に被写体が低輝度時に手持ち撮影を行った際に発生する手ブレの緩和に関する。
【背景技術】
【０００２】
昨今のデジタルカメラにおいては、高ＩＳＯ化が進み低輝度時であっても、鮮明な撮影画像を取得することが可能となった。その反面、低輝度環境下において手持ち撮影をすると、手ブレによる失敗写真となる可能性が高くなる。これは、たとえカメラを高ＩＳＯに設定したとしても、被写体の輝度が十分低ければ、露出時間であるところのシャッタ秒時が長くなり、結果手ブレを引き起こしてしまう。またこの時の手ブレは、ユーザがカメラのレリーズスイッチ押下する時に発生し、カメラの撮影光軸に対してロール方向のブレが支配的となる。また、上記手ブレ量は、レリーズスイッチの押下量に依存する。
【０００３】
この問題を解消するためには、特許文献１のような構成が効果的である。特許文献１のブレ補正装置及び撮像装置では、撮像素子をロール方向に駆動させることでロール方向のブレをキャンセルすることが可能である。
【先行技術文献】
【特許文献】
【０００４】
【特許文献１】特開２０１１−５３２４１号公報
【発明の概要】
【発明が解決しようとする課題】
【０００５】
ところで、普及型のカメラにおいては、外形サイズをよりコンパクト化することが要求されている。コンパクト化することでカメラの電源となる電池も小型化される、つまり電池容量が少なくなるため、低消費電力も要求されることになる。
【０００６】
しかしながら、上記の特許文献１に開示された従来技術では、ブレ補正を行うために撮像素子を駆動するための保持部材やアクチュエータが必要となり、カメラの外形サイズのコンパクト化、省電力化に反してしまう。
【０００７】
そこで、本発明の目的は、カメラ外形のコンパクト化、省電力化を害することなく低輝度被写体の手持ち撮影であってもレリーズスイッチ押下による手ブレを緩和することを可能とするカメラを提供することにある。
【課題を解決するための手段】
【０００８】
上記の目的を達成するために、本発明に係るカメラは、
半押し状態と全押し状態の２段階構成のレリーズスイッチと、レリーズスイッチ押下時の押下量を検出するための押下量検出部と、撮影時の露出時間を決定する露出時間決定部とを備えたカメラにおいて、露出時間決定部で決定した撮影時の露出時間が所定の時間以上の時は、レリーズスイッチが全押し状態であると判別するための、半押し状態から全押し状態までの押下量を上記露出時間が所定時間未満の時に比べ短くするよう制御することを特徴とする。
【発明の効果】
【０００９】
本発明によれば、撮影時のシャッタ秒時が手ブレの影響を受ける秒時である時には、レリーズスイッチの半押し状態から全押し状態になるまでの押下量を短くなるように設定するようにしたので、レリーズスイッチ３の押下に起因する手ブレを緩和するカメラの提供を実現できる。
【図面の簡単な説明】
【００１０】
【図１】実施例１に係るカメラのブロック構成図である。
【図２】実施例１に係るカメラの動作を説明したフローチャートである。
【図３】（ａ）はレリーズスイッチ３を押下していないときのレリーズスイッチ３、押下量検出部４の状態を説明した図、（ｂ）はレリーズスイッチ３を押下したときのレリーズスイッチ３、押下量検出部４の状態を説明した図である。
【図４】実施例１に係るレリーズスイッチ３の押下状態と押下量検出部４出力の関係を説明した図である。
【図５】実施例２に係るカメラのブロック構成図である。
【図６】実施例２に係るカメラの動作を説明したフローチャートである。
【発明を実施するための形態】
【００１１】
以下に、本発明の好ましい実施の形態を、添付の図面に基づいて詳細に説明する。
【実施例１】
【００１２】
図１は、本発明の実施例１に係るカメラのブロック構成図である。図１において、１はカメラ本体（以降、カメラと記載する）である。２は、カメラ１の各動作の制御を行うためのマイコンである。３はレリーズスイッチである。本発明におけるレリーズスイッチ３は、押しボタンスイッチであって、半押し、全押しの２段階スイッチとする。
【００１３】
レリーズスイッチ３が半押しされると、測光部、焦点調節部（いずれも不図示）により、被写体の測光や焦点調節など撮影に関わる測定と設定が行われ、全押しされると、不図示の撮像部による撮像動作並びに不図示の記録媒体への取得画像の記録動作が実行される。
【００１４】
４は押下量検出部であり、ユーザがレリーズスイッチ３を押下した時の押下量を検出する。尚、本発明における押下量検出部４には、歪ゲージを使用するものとして説明を行う。よって、ユーザがレリーズスイッチ３を押下した時の押下量に応じた歪ゲージの歪み量が押下量検出部４の検出結果としてマイコン２へ出力される。マイコン２は上記検出結果に応じて、レリーズスイッチ３の半押し、全押しの判別を行う。
【００１５】
本発明におけるレリーズスイッチ３と押下量検出部４との関係について図３の（ａ）、（ｂ）並びに図４を使って説明する。図３の（ａ）はレリーズスイッチ３が押下されていないとき、図３の（ｂ）はレリーズスイッチ３が押下された時、それぞれのレリーズスイッチ３、押下量検出部４の状態を説明した図である。また図４はレリーズスイッチ３の押下状態に対する押下量検出部４出力の関係を説明した図である。
【００１６】
図３の（ａ）おいて、破線で囲われた領域が押下量検出部４であり、レリーズスイッチ３が押下されていない時は、押下量検出部４がレリーズスイッチ３の下にある軸７により押し込まれていないため水平を保っている。つまり押下量検出部４に歪みが生じていないため、同検出部出力は０を出力する（図４の０点）。
【００１７】
図３の（ｂ）において、レリーズスイッチ３が押下されると、軸７を介して押下量検出部４の左端が押し下げられ、押下量検出部４に歪みが生じ、押下量検出部４はレリースイッチ３の押下量に応じた歪み量をマイコン２へ出力する。例えばレリーズスイッチ３の押下量がレリーズ半押し相当であれば、押下量検出部４は、図４に示すＳｔ１をマイコン２へ出力することになる。
【００１８】
ここでレリーズスイッチ３の押下量に対して、マイコン２がレリーズスイッチ３の半押し状態、全押し状態であると判別する押下量検出部４の出力値は、実験的に求められたものとする。実施例１では、押下量検出部４出力を半押し状態はＳｔ１、全押し状態は、手ブレが起きにくいシャッタ秒時ではＳｔ２ｓ、手ブレが起きやすいシャッタ秒時ではＳｔ２ｓより押下量の短いＳｔ２ｌとする。ここで、マイコン２がレリーズスイッチ３の半押し状態から全押し状態を判別する押下量Ｓｔ２ｓは、短くなればなるほど誤って全押ししてしまう可能性があるため、誤操作しないような長さに設定されている。しかしながら、手ブレが起きやすいシャッタ秒時に限り、手ブレを緩和することを優先し、上記判別のための押下量をＳｔ２ｓより短いＳｔ２ｌとしている。
【００１９】
尚、実施例１における上記レリーズスイッチ３の半押し、全押しの各状態の判別基準は、実験的に求められたものに限らず、ユーザにより調整し設定したものを使ってもよい。
【００２０】
５はカメラ（１）の露出時間であるところのシャッタ秒時を決定する露出時間決定部（５）であり、レリーズスイッチ３が半押し状態にある時、不図示の測光部により撮影時の露出が適正となるようなシャッタ秒時を演算しマイコン２へ出力する。または、ユーザが手動でシャッタ秒時を設定した時には、上記演算を行わずユーザによる設定値を露出時間としてマイコン２へ出力する。尚、本実施例においては、前者を例に説明する。
【００２１】
次に実施例１に係るカメラ１の動作について、図２のフローチャートを使って説明する。
【００２２】
図２において、ステップＳ２０１ではマイコン２がレリーズスイッチ３の押下量を全押しと判別値を初期化している。これは図４のＳｔ２ｓに相当するもので、撮影時のシャッタ秒時が手ブレしない条件に合致している。
【００２３】
ステップＳ２０２では、マイコン２がユーザ操作によりレリーズスイッチ３が半押しされているかどうかを判別している。半押ししていない時、つまり押下量検出部４出力ＳｔがＳｔ＜Ｓｔ１の時は、ステップＳ２０２でレリーズスイッチ３が押下されることの待機状態となり、半押し状態の時、つまり押下量検出部４出力ＳｔがＳｔ≧Ｓｔ１の時はスッテップＳ２０３へ進む。
【００２４】
ステップＳ２０３では、不図示の測光部により、被写体輝度を測定、露出演算並びに、不図示の焦点調節部により、被写体のピントが合うよう不図示のレンズの焦点調節を行う。
【００２５】
ステップＳ２０４では上記測光結果より演算し取得した露出値であるところのシャッタ秒時を所定値と比較することで、手ブレの影響を受けるかどうかを判別している。上記シャッタ秒時が、所定値より長秒の時は、全押し時の押下量判定値を初期値（Ｓｔ２ｓ）よりも短いＳｔ２ｌに変更（ステップＳ２０５）し、ステップＳ２０６へ移行する。一方、上記シャッタ秒時が所定値より短秒の時は、全押し時の押下量判定値は初期値の状態を維持し、ステップＳ２０６へ移行する。
【００２６】
ここでステップＳ２０４においてシャッタス秒時と比較している「所定値」とは、手ブレ限界に相当するシャッタ秒時であり、上記シャッタ秒時が所定値より短い時には、レリーズスイッチ３押下による手振れの影響は受けないと判断している。
【００２７】
ステップＳ２０６では、ユーザ操作によりレリーズスイッチ３が全押しされているかどうかを判別している。ユーザがレリーズスイッチ３の操作をやめた場合（≠半押し且つ≠全押し）は、ステップＳ２０１に戻り、撮影待機状態となる。またレリーズスイッチ３が半押し状態を維持している場合（＝半押し且つ≠全押し）は、ステップＳ２０６に留まり、全押し待機状態となる。更にレリーズスイッチ３が全押し状態となった場合は、不図示の撮像部により被写体を撮像し、取得した画像を不図示の記録媒体へ記録する（ステップＳ２０７）。
【００２８】
以上、実施例１によれば、カメラ１の露出演算の結果、シャッタ秒時が手ブレの影響を受ける秒時である時には、レリーズスイッチ３の半押し状態から全押し状態になるまでの押下量を短くなるように設定するようにした。結果、レリーズスイッチ３の押下に起因する手ブレを緩和することが可能となる。
【００２９】
実施例１では、レリーズスイッチ３の押下状態を全押しと判別する押下量判定値の指標を簡単のためシャッタ秒時としたが、この指標はこれに限らず、レンズ絞り値とシャッタ秒時との組み合わせにより判別してもよい。
【００３０】
また、押下量検出部４の検出手段として歪みゲージを例として説明したが、例えば圧力センサ等レリーズスイッチ３の押下量が検出できるものであればこの限りでない。
【実施例２】
【００３１】
実施例１では、撮影時のシャッタ秒時が手ブレの影響を受ける秒時となった時には、レリーズスイッチ３の半押し状態から全押し状態になるまでの押下量を短くなるように設定することで、手ブレを緩和するようにした。実施例１では、撮影時のシャッタ秒時だけで手ブレの可能性を判断していたが、手ブレの発生は、ユーザ毎の撮影技術にも影響するところが大いにある。
【００３２】
熟練ユーザにあっては、手ブレしにくい撮影技術を会得している。しかしながら、実施例１では、手ブレの如何にかかわらず、撮影時のシャッタ秒時が手ブレ限界の秒時より長ければ、レリーズスイッチ３の全押しの押下量を自動的に短くしていた。この結果、熟練ユーザにとっては、レリーズスイッチ３全押し時の押下量が通常時に比べ短くなることに違和感を覚えてしまい、かえって手ブレを引き起こす可能性がある。
【００３３】
実施例２では、レリーズスイッチ３が半押し時のカメラのブレ情報も使ってレリーズスイッチ３全押し時の押下量設定を行うようにした。
【００３４】
図５は実施例２に係るカメラのブロック構成図である。尚、図５の説明にあたり、１から５は、実施例１に係るカメラ１のブロック構成図（図１）と同じため説明を省略する。図５において、６はブレ検出部であり、実施例２においてはレリーズスイッチ３が半押し後のカメラ１のブレ量を検出し、この検出結果をマイコン２へ出力する。またブレ検出６には例えば角速度センサや加速度センサなど検出素子が使われる。
【００３５】
次に実施例２に係るカメラの動作について、図６のフローチャートを使って説明する。
尚、図６のフローチャートのうち、実施例１で説明したフローチャート（図２）と共通動作となる箇所のステップ番号は同じとし、同箇所の詳細な説明は省略する。
【００３６】
図６のフローチャートにおいて、ステップＳ２０２でレリーズスイッチ３が半押しされたことをマイコン２が検出すると、ステップＳ６０１でカメラ１のブレ状態をブレ検出部６により検出し、この検出結果をマイコン２へ出力する。ステップ２０３で測光、焦点調節を行った後、ステップ２０４で上記測光結果より算出された露出値より取得したシャッタ秒時を所定値と比較する。上記シャッタ秒時が所定値より短い時は、レリーズスイッチ３の全押し時の押下量を変更することなく、ステップＳ２０６のレリーズ全押し待機状態となる。一方、上記シャッタ秒時が所定値以上の時は、ステップＳ６０２において、ステップＳ６０１で取得した手ブレ検出量の判定を行う。上記手ブレ量が所定量に満たない時は、手ブレ限界を超えるシャッタ秒時であっても、取得画像のブレに影響がないと判断し、レリーズスイッチ３が全押し時の押下量判定値は初期値を維持し、ステップＳ２０６のレリーズ全押し待機状態となる。一方、上記手ブレ量が所定値以上の時は、取得画像のブレの影響があると判断し、ステップＳ２０５でレリーズスイッチ３が全押し時の押下量判定値を初期値（Ｓｔ２ｓ）よりも短いＳｔ２ｌに変更し、ステップＳ２０６のレリーズ全押し待機状態となる。
【００３７】
ここで、ステップＳ６０２における「所定量」は、実験的に求められたものとする。
【００３８】
以上、実施例２によれば、カメラ１のシャッタ秒時とレリーズスイッチ３が半押し時のカメラ１のブレ量によって、レリーズスイッチ３が全押し時の押下量の制御を行うようにした。
【００３９】
これにより、カメラ１のシャッタ秒時が手ブレ限界を超えるものであっても、上記ブレ量が取得画像のブレに影響しない場合には、レリーズスイッチ３が全押し時の押下量を初期値のままとした。結果、熟練ユーザのように手ブレすることなく手持ち撮影ができる人たちにとっては、レリーズスイッチ３が全押し時の押下量を変更することがなくなりレリーズ動作に違和感を与えないカメラの提供が可能となる。
【００４０】
以上、本発明の好ましい実施形態について説明したが、本発明はこれらの実施形態に限定されず、その要旨の範囲内で種々の変形及び変更が可能である。
【符号の説明】
【００４１】
１  カメラ、２  マイコン、３  レリーズスイッチ、
４  押下量検出部、５  露出時間決定部
【図１】
2020056856.tif 000003
【図２】
2020056856.tif 000004
【図３】
2020056856.tif 000005
【図４】
2020056856.tif 000006
【図５】
2020056856.tif 000007
【図６】
2020056856.tif 000008